(57)【要約】【課題】ユーザに違和感を与えにくい空調制御装置を提供する。【解決手段】ユーザの現在の心拍数または脈拍数を表す検出拍数を逐次取得する拍数取得部２１４と、検出拍数と平常時拍数との差である拍数差ΔＲを逐次算出する拍数差算出部２１５と、拍数差ΔＲを積分した拍数差積分値ΣΔＲを算出する積分部２１６と、規定時間分の拍数差積分値ΣΔＲと予め設定した積分値閾値ＴＨＲとの比較に基づいて、空調制御の変更タイミングを決定する空調制御部２１７とを備える。規定時間分の拍数差積分値が積分値閾値を超えた場合、ユーザの体温が上昇するタイミング、あるいは、そのタイミングに近いと推定できる。したがって、規定時間分の拍数差積分値を積分値閾値と比較して空調制御の変更タイミングを決定することで、ユーザの体温変化のタイミングに近いタイミングで空調制御を変更することができるので、ユーザに違和感を与えてしまうことを抑制できる。【選択図】図４
2019196862.tif 000002
【特許請求の範囲】
【請求項１】
ユーザの現在の心拍数または脈拍数を表す検出拍数を逐次取得する拍数取得部（２１４）と、
前記検出拍数と平常時拍数との差である拍数差を逐次算出する拍数差算出部（２１５）と、
前記拍数差を積分した拍数差積分値を算出する積分部（２１６）と、
規定時間分の前記拍数差積分値と予め設定した積分値閾値との比較に基づいて、空調制御の変更タイミングを決定する空調制御部（２１７）と、を備える空調制御装置。
【請求項２】
前記空調制御部は、規定時間分の前記拍数差積分値が前記積分値閾値を超えたことに基づいて、前記空調制御における目標温度を低下させる請求項１に記載の空調制御装置。
【請求項３】
前記空調制御部は、規定時間分の前記拍数差積分値が前記積分値閾値を超えてからの経過時間が待ち時間を超えた後に、空調制御の変更を行う請求項２に記載の空調制御装置。
【請求項４】
前記空調制御部は、前記規定時間分の前記拍数差積分値が前記積分値閾値を超えた場合、前記検出拍数の有意な増加を示す拍数増加閾値を前記拍数差が超えている時間が短いほど、前記空調制御における目標温度を大きく変更する請求項２または３に記載の空調制御装置。
【請求項５】
前記空調制御部は、規定時間分の前記拍数差積分値が前記積分値閾値を超えたことにより空調制御における目標温度を低下させた後、規定時間分の前記拍数差積分値が前記積分値閾値を下回ったことに基づいて、前記目標温度を元に戻す、請求項２〜４のいずれか１項に記載の空調制御装置。
【請求項６】
前記ユーザの筋肉量に関係する値である筋肉量関係値に基づいて、前記積分値閾値を決定する閾値決定部（２１８）を備える請求項１〜５のいずれか１項に記載の空調制御装置。
【請求項７】
前記ユーザの筋肉量に関係する値である筋肉量関係値に基づいて、前記待ち時間を決定する待ち時間決定部（２１９）を備える請求項３に記載の空調制御装置。
【請求項８】
前記筋肉量関係値が、体型を表す値および性別の少なくとも一方、または、筋肉量である請求項６または７に記載の空調制御装置。
【発明の詳細な説明】
【技術分野】
【０００１】
空調制御装置に関し、特に、ユーザに違和感を与えにくい空調制御をする技術に関する。
【背景技術】
【０００２】
特許文献１には、居住者の心拍数を検出し、心拍数が正常範囲から外れた場合に、空調制御のモードを変更する技術が開示されている。
【先行技術文献】
【特許文献】
【０００３】
【特許文献１】特開２０１６−２１１８１０号公報
【発明の概要】
【発明が解決しようとする課題】
【０００４】
心拍数と体温には関連性がある。心拍数が増えると血流量が増加し、血流量の増加により体温が上昇するからである。特許文献１の技術は、心拍数と閾値とを比較して制御の変更タイミングを決めている。たとえば、冷房時に、心拍数が正常範囲の上限値であるＮ３を上回ると、直ちに制御モードを省エネモードから通常モードに変更する。これにより、室内温度が速やかに低下する。よって、居住者は、心拍数が上昇したことにより体温が上昇するとしても、その上昇の程度を少なくすることができる。
【０００５】
しかし、心拍数が変化するタイミングと体温が変化するタイミングとの間には時間差がある。そのため、心拍数と閾値とを比較して制御のタイミングを決めてしまうと、ユーザの体温変化のタイミングと、空調制御の変更タイミングとの間のずれが大きくなり、ユーザに違和感を与えてしまう恐れがあった。
【０００６】
本開示は、この事情に基づいて成されたものであり、その目的とするところは、ユーザに違和感を与えにくい空調制御装置を提供することにある。
【課題を解決するための手段】
【０００７】
上記目的は独立請求項に記載の特徴の組み合わせにより達成され、また、下位請求項は更なる有利な具体例を規定する。特許請求の範囲に記載した括弧内の符号は、一つの態様として後述する実施形態に記載の具体的手段との対応関係を示すものであって、開示した技術的範囲を限定するものではない。
【０００８】
上記目的を達成するための１つの開示は、
ユーザの現在の心拍数または脈拍数を表す検出拍数を逐次取得する拍数取得部（２１４）と、
検出拍数と平常時拍数との差である拍数差を逐次算出する拍数差算出部（２１５）と、
拍数差を積分した拍数差積分値を算出する積分部（２１６）と、
規定時間分の拍数差積分値と予め設定した積分値閾値との比較に基づいて、空調制御の変更タイミングを決定する空調制御部（２１７）と、を備える空調制御装置である。
【０００９】
心拍数と体温には関連性がある。しかし、心拍数が増加することにより血流量が増加しても、瞬時に体温が上昇するわけではない。血流の増加により体温が上昇し始めるには、ある程度の時間、血流が多い状態が続く必要があるからである。
【００１０】
そこで、この空調制御装置は、血流が多い状態が継続していると判断するために次の処理を行う。すなわち、検出拍数を取得し、その検出拍数と平常時拍数との拍数差を積分した拍数差積分値を算出する。そして、規定時間分の拍数差積分値を積分値閾値と比較する。
【００１１】
規定時間分の拍数差積分値が積分値閾値を超えた場合、血流が多い状態が継続していると判断でき、かつ、ユーザの体温が上昇するタイミング、あるいは、そのタイミングに近いと推定できる。また、規定時間分の拍数差積分値が積分値閾値を下回った場合、ユーザの体温が低下するタイミング、あるいは、そのタイミングに近いと推定できる。
【００１２】
したがって、規定時間分の拍数差積分値を積分値閾値と比較して空調制御の変更タイミングを決定することで、ユーザの体温変化のタイミングに近いタイミングで空調制御を変更することができるので、ユーザに違和感を与えてしまうことを抑制できる。
【図面の簡単な説明】
【００１３】
【図１】第１実施形態の空調システム１００の構成を示す図である。
【図２】シート１の構成を示す図である。
【図３】シート空調装置２の構成を示す図である。
【図４】シート空調装置２が備えるＥＣＵ２１の構成を示す図である。
【図５】携帯端末４の構成を示す図である。
【図６】ＥＣＵ２１が実行する処理を示すフローチャートである。
【図７】拍数差ΔＲと体温の関係の一例を示す図である。
【図８】ＥＣＵ２１が、図６を実行した後に実行する処理を示すフローチャートである。
【図９】第２実施形態においてシート空調装置２が備えるＥＣＵ２１の構成を示す図である。
【発明を実施するための形態】
【００１４】
［第１実施形態］
以下、実施形態を図面に基づいて説明する。図１に、空調システム１００の構成を示す。空調システム１００は、シート１と、シート空調装置２と、ウェアラブルデバイス３と、携帯端末４とを備える。
【００１５】
シート１は、車などの乗り物に設置されてもよいし、建物内に設置されてもよい。シート空調装置２は、シート１に設置されて、設置されたシート１の付近の空気の温度を調整する。また、シート１の付近の湿度を調整できるようになっていてもよい。ウェアラブルデバイス３は、ユーザ５に身につけられる。本実施形態のウェアラブルデバイス３は、ユーザ５の腕に装着される形式である。ウェアラブルデバイス３は、ユーザ５の腕に生じる脈波を検出する。携帯端末４は、シート空調装置２を操作する操作端末として機能するものであり、シート空調装置２を操作するアプリケーションがインストールされたスマートフォンやタブレット端末である。
【００１６】
＜シート１の構成＞
シート１は、図２に示すように、背もたれ部１１と、ヘッドレスト部１２と、着座部１３とを備えている。背もたれ部１１は、シート１に着座する者（以下、着座者）の背部を支える部分である。ヘッドレスト部１２は、背もたれ部１１の上端に接続され、着座者の頭部を支える部材である。着座部１３は、着座者の臀部および大腿部を支える。
【００１７】
背もたれ部１１とヘッドレスト部１２との間には、着座者の頭部に向けて空気を吹き出すための頭部用吹出口１６が設けられている。背もたれ部１１の上下方向中央部には、着座者の上半身に向けて空気を吹き出すための上半身用吹出口１７が設けられている。上半身用吹出口１７は、背もたれ部１１の上下方向中央部の左右両端に１つずつ、あるいは、複数個ずつ配置されている。
【００１８】
着座部１３において着座者の臀部や大腿部と接する側の面（以降、着座面）には、着座者の臀部や大腿部等に向けて空気を吹き出すための座部吹出口１８が設けられている。座部吹出口１８は例えば着座面の左右両端に設けられている。なお、座部吹出口１８は、着座面の中央部に設けられていてもよい。また、図２では、座部吹出口１８を２つ備える態様を図示しているが、座部吹出口１８は１つでもよく、また３つ以上でもよい。図２において、頭部用吹出口１６、上半身用吹出口１７、座部吹出口１８の付近に示された矢印は、空調空気の吹き出し方向を表している。
【００１９】
シート１の内部には、第１ダクト１４と第２ダクト１５とが形成されている。第１ダクト１４は、シート空調装置２から送風された空調空気を頭部用吹出口１６に供給するダクトである。第１ダクト１４の一端はシート空調装置２と接続されており、他端は頭部用吹出口１６と接続している。
【００２０】
第２ダクト１５は、シート空調装置２から送風された空調空気を上半身用吹出口１７および座部吹出口１８に供給するダクトである。第２ダクト１５は、シート空調装置２が備える送風口と、上半身用吹出口１７および座部吹出口１８とを連通するように形成されている。なお、第１ダクト１４と第２ダクト１５とは一体化されていてもよい。また、第１ダクト１４と第２ダクト１５は、用途が異なるダクトとして設けられていてもよい。たとえば第１ダクト１４は冷房時の空調空気が流通するダクトとするとともに、第２ダクト１５は暖房時の空調空気が流通するダクトとして構成されていてもよい。以降において第１ダクト１４と第２ダクト１５とを区別しない場合には吹出用ダクトとも記載する。
【００２１】
その他、シート１は、室内の空気を吸い込むための吸込口１９や、当該吸込口１９から吸い込んだ空気（いわゆる内気）を空調ユニット２２まで流通させるためのダクトなどを備える。内気を吸い込むための吸込口１９は、たとえばシート下部の前方に配置されている。なお、空調ユニット２２は、内気を吸い込む吸込口１９に加えて、室外の空気（いわゆる外気）を吸い込む他の外気吸込口を備えていてもよい。
【００２２】
また、シート１は、背もたれ部１１、ヘッドレスト部１２、および着座部１３に加えて、着座者の前腕や肘部を支えるアームレスト部を備えていてもよい。シート１がアームレスト部を備える構成においては、アームレスト部に、着座者の大腿部に向けて空気を吹き出す吹出口が設けられていてもよい。吹出口の具体的な配置態様は適宜変更可能である。
【００２３】
＜シート空調装置２の構成＞
次に、シート空調装置２の構成について説明する。シート空調装置２は図３に示すように、ＥＣＵ２１、空調ユニット２２、およびシート側通信部２３を備える。ＥＣＵ２１は、シート空調装置２の作動を制御する電子制御装置であり、空調制御装置に相当する。なお、ＥＣＵはElectronic Control Unitの略である。
【００２４】
ＥＣＵ２１は、図３に示すように、ＣＰＵ２１１、ＲＡＭ２１２、フラッシュメモリ２１３等を備えたマイクロコンピュータを主体として構成される。なお、ＥＣＵ２１は、ＣＰＵ２１１の代わりに、ＧＰＵやＭＰＵを用いて実現されていてもよい。さらにＣＰＵ２１１やＧＰＵ、ＭＰＵを組み合わせて実現されていてもよい。フラッシュメモリ２１３には、通常のコンピュータをＥＣＵ２１として機能させるためのプログラム（以降、空調プログラム）等が格納されている。
【００２５】
ＥＣＵ２１は、フラッシュメモリ２１３に記憶された各種プログラムをＣＰＵ２１１等のプロセッサが実行することで、各種制御処理を実行する機能を備える。ＥＣＵ２１の機能の少なくとも一部は、ハードウェアとして実現されてもよい。或る機能をハードウェアとして実現する態様には、１つ又は複数のＩＣなどを用いて実現する態様も含まれる。
【００２６】
図４にＥＣＵ２１が備える機能を示している。図４に示すように、ＥＣＵ２１は、拍数取得部２１４、拍数差算出部２１５、積分部２１６、空調制御部２１７としての機能を備える。ＥＣＵ２１が備えるこれらの機能については別途後述する。
【００２７】
なお、上述の空調プログラムは、非遷移的実体的記録媒体に格納されていればよく、その具体的な格納媒体は、フラッシュメモリ２１３に限定されない。ＣＰＵ２１１が空調プログラムを実行することは、空調プログラムに対応する方法が実行されることに相当する。
【００２８】
説明を図３に戻す。空調ユニット２２は、例えば着座部１３の内部に収容される。空調ユニット２２は、吹出用ダクトに空調空気を送風することにより、吹出用ダクトからシート１の着座者に向けて空調空気を吹き出させる装置である。空調空気は、冷房時、暖房時、および冷房も暖房をしない送風時を含めて、空調ユニット２２から吹出用ダクトに送風される空気を指す。
【００２９】
空調ユニット２２は、シート１の着座者に対する空調をＥＣＵ２１の制御の下で行い、シート１の付近の温度が目標温度になるように、空調空気の温度および吹出風量を調整する。
【００３０】
シート側通信部２３は、シート１の着座者となるユーザ５に携帯されるウェアラブルデバイス３および携帯端末４との間で、所定の近距離無線通信規格に準拠した無線通信（以降、近距離無線通信）を実施するための通信モジュールである。近距離無線通信規格としては、例えばBluetooth Low Energy（Bluetoothは登録商標）や、Wi-Fi（登録商標）、ZigBee（登録商標）等を採用することができる。
【００３１】
ここでは一例として、シート側通信部２３とウェアラブルデバイス３および携帯端末４との無線通信はBluetoothの規格に準拠して実施するように構成されているものとする。この場合、シート側通信部２３とウェアラブルデバイス３、シート側通信部２３と携帯端末４は予めペアリングしておくことで、通信可能な状態としておく。
【００３２】
シート側通信部２３は、ＥＣＵ２１の制御の下で、シート空調装置２の作動状態等を携帯端末４に送信する。またシート側通信部２３は、携帯端末４から送信された作動指示等を受信して、ＥＣＵ２１に入力する。
【００３３】
なお、シート側通信部２３は、インターネット通信を行う機能を有し、サーバ等を経由してウェアラブルデバイス３および携帯端末４と通信可能に構成されていてもよい。また、シート側通信部２３は例えばＵＳＢ等による有線通信を実施する構成を備えていてもよい。
【００３４】
＜ウェアラブルデバイス３の構成＞
ウェアラブルデバイス３は、ユーザ５の腕に装着されて脈波を検出する。ウェアラブルデバイス３は、検出した脈波を無線通信により直接的にあるいは携帯端末４を介して間接的に、シート空調装置２へ送信する。
【００３５】
＜携帯端末４の構成＞
携帯端末４は、図５に示すように、制御部４１、表示部４２、操作部４３、通信部４４を備える。制御部４１は、ＣＰＵ４１１、ＲＡＭ４１２、フラッシュメモリ４１３等を備えたマイクロコンピュータを主体とした構成である。フラッシュメモリ４１３には、シート空調装置２を操作するためのアプリケーションが記憶されている。
【００３６】
表示部４２には、シート空調装置２の作動状態、シート空調装置２を操作するための操作スイッチ等が表示される。操作部４３は、たとえば表示部４２の表示面に積層されたタッチパネルである。通信部４４は、シート側通信部２３およびウェアラブルデバイス３と無線通信をする近距離無線通信回路を備える。また、広域無線通信をするための広域無線通信回路を備えていてもよい。
【００３７】
制御部４１は、フラッシュメモリ４１３に記憶されたアプリケーションを実行することで、表示部４２に、シート空調装置２の作動状態や、シート空調装置２を操作するための操作スイッチ等を表示させる。また、制御部４１は、表示部４２に操作スイッチが表示された状態での操作部４３の操作により定まる指示信号、たとえば、設定温度の変更等を指示する信号を、シート側通信部２３に送信する。
【００３８】
＜シート空調装置２のＥＣＵ２１が実行する処理＞
次に、シート空調装置２のＥＣＵ２１が実行する処理を説明する。図６に、ＥＣＵ２１が実行する処理をフローチャートで示す。図６に示す処理は、シート空調装置２が、設定温度が設定された運転を実行しているときに、周期的に実行する処理である。
【００３９】
ステップ（以下、ステップを省略する）Ｓ１およびＳ２は拍数取得部２１４が実行する。Ｓ１では、シート側通信部２３にウェアラブルデバイス３あるいは携帯端末４と通信をさせて、ウェアラブルデバイス３から、直接的あるいは間接的に、ウェアラブルデバイス３が検出した一定時間分の脈波を取得する。一定時間は、脈拍数Ｒ（回／分）を決定するために必要な時間であり、たとえば、数秒とすることができる。
【００４０】
Ｓ２では、Ｓ１で取得した脈波の形状から脈拍数Ｒを算出する。たとえば、脈波のピークを決定し、６０秒をピークとピークの間の時間（秒）で割ることにより、脈拍数Ｒを算出する。脈拍数Ｒは、ユーザ５から検出した脈波から算出しており、検出拍数に相当する。
【００４１】
Ｓ３は拍数差算出部２１５が実行する。Ｓ３では、Ｓ２で算出した脈拍数Ｒと、平常時の脈拍数である平常時拍数との差を算出する。この差を拍数差ΔＲとする。拍数差ΔＲは、一時的に、ＲＡＭ２１２に記憶される。次のＳ４において積分するためである。
【００４２】
平常時拍数は、予め設定しておく。平常時拍数は、たとえば、年齢別、ユーザ別に設定する。平常時拍数が年齢別に設定されている場合には、携帯端末４の表示画面に年齢設定画面を表示させて、ユーザ５に年齢を入力してもらう等の方法で、ユーザ５の年齢を取得する。ユーザ別に平常時拍数を設定する場合には、ウェアラブルデバイス３が連続的に検出している脈波に基づいてユーザ別に平常時拍数を予め算出しておく。
【００４３】
Ｓ４は積分部２１６が実行する。Ｓ４では、規定時間分の拍数差ΔＲを積分する。積分した値を拍数差積分値ΣΔＲとする。Ｓ４において拍数差積分値ΣΔＲを算出する理由を説明する。
【００４４】
図７に、拍数差ΔＲと体温の関係の一例を示している。拍数差ΔＲは、平常時拍数との差であり、拍数は血流量と相関することから、拍数差ΔＲは平常時との血流量の差に関係する。そして、血流量の増減は体温に影響する。したがって、拍数差ΔＲは体温の変動に関連する値であると言える。ただし、瞬時的な拍数差ΔＲが体温変化に直接関係するわけではない。血液により熱を体全体に運び体温を上昇させるためには熱量が必要だからである。そのため、図７に示すように、拍数差ΔＲが多い状態が継続したとき、すなわち、拍数差積分値ΣΔＲがある程度の値になると、体温が上昇し始める。そこで、このＳ４において拍数差積分値ΣΔＲを算出するのである。
【００４５】
体温変化に関係する値として拍数差積分値ΣΔＲを算出するので、拍数差積分値ΣΔＲの積分期間となる規定時間は、どのぐらいの時間に血流量がどれだけ変化すれば、体温変化が生じるかを実験等により決定することになる。規定時間の一例を上げれば、たとえば、２分〜３分に設定することができる。次のＳ５で用いる積分値閾値ＴＨＲも、実験等により決定する。積分値閾値ＴＨＲは、規定時間の長さ、規定時間内に拍数差ΔＲを算出する回数を考慮して決定することになる。同じ規定時間でも、規定時間内に拍数差ΔＲを算出する回数が多いほど、拍数差積分値ΣΔＲは大きい値になるからである。
【００４６】
Ｓ５〜Ｓ９は空調制御部２１７が実行する。Ｓ５では、Ｓ４で算出した拍数差積分値ΣΔＲが積分値閾値ＴＨＲを超えたか否かを判断する。Ｓ５の判断がＮＯであればＳ１に戻る。よって、Ｓ５の判断がＮＯである間は、Ｓ１〜Ｓ５を繰り返す。Ｓ１〜Ｓ５を繰り返すことにより、逐次、現時点における最新の規定時間分の拍数差積分値ΣΔＲが算出されて、その最新の拍数差積分値ΣΔＲが積分値閾値ＴＨＲと比較される。
【００４７】
Ｓ５の判断がＹＥＳになった場合はＳ６に進む。Ｓ６では、規定時間分の拍数差ΔＲのうち、拍数増加閾値を継続的に超えている時間を決定する。この時間を決定する理由を、図７を用いて説明する。図７には、拍数増加閾値も示している。拍数増加閾値は、拍数差ΔＲが検出拍数の有意な増加を示す値であるか否かを判断するための閾値である。したがって、拍数増加閾値は、平常時拍数に、平常時の拍数の変動よりも大きな値を加えた値とする。
【００４８】
図７においてｔ１が現時点であるとし、また、ｔ１において拍数差積分値ΣΔＲが積分値閾値ＴＨＲを超えたとする。また、規定時間が１２０秒であるとする。この場合、規定時間の開始時点はｔ０になる。図７を見ると、ｔ０からｔ１の間のずっと、脈拍数Ｒが平常時拍数よりも大きいのではなく、６０秒過ぎから脈拍数Ｒが増加していることが分かる。つまり、ｔ１時点で算出した拍数差積分値ΣΔＲはｔ０からｔ１までの拍数差ΔＲを積分しているけれども、主として拍数差積分値ΣΔＲの増加に寄与しているのは６０秒すぎからｔ１までの時間である。
【００４９】
Ｓ６は、主として拍数差積分値ΣΔＲの増加に寄与している時間を決定する処理である。この時間が短いほど、実質的には、短時間で拍数差積分値ΣΔＲが積分値閾値ＴＨＲを超えたことを意味する。
【００５０】
Ｓ７では、目標温度を低下させる低下温度を決定する。低下温度は、Ｓ６で決定した時間が短いほど、絶対値が大きい値とする。Ｓ６で決定した時間が短いほど、そのままの空調制御では体温上昇の程度が大きいと予測できる。この体温上昇を抑制するために、Ｓ７では、Ｓ６で決定した時間が短いほど、絶対値が大きい値とするのである。具体的にどの程度の値にするかは、拍数増加閾値を超えている時間と低下温度との関係を予め設定してくことになる。
【００５１】
Ｓ８では、Ｓ５の判断がＹＥＳになってから、低下時待ち時間が経過したか否かを判断する。Ｓ５の判断がＹＥＳになったことにより、ユーザ５の体温が上昇することを推定したことになる。ただし、規定時間および積分値閾値ＴＨＲの設定次第では、Ｓ５の判断がＹＥＳになったときと、体温上昇が開始するときとの間に時間差が生じる可能性がある。低下時待ち時間は、この時間差を埋めるための調整時間である。
【００５２】
低下時待ち時間も、実験に基づいて決定する。規定時間および積分値閾値ＴＨＲの設定次第では、低下時待ち時間はゼロとすることもできる。ただし、規定時間および積分値閾値ＴＨＲをうまく設定して低下時待ち時間をゼロとするよりも、低下時待ち時間を使って、目標温度を変更するタイミングと体温変化タイミングとを合わせたほうが、調整が容易である場合を考慮して、Ｓ８の処理を行っている。
【００５３】
Ｓ８の判断がＮＯであればＳ８の判断を繰り返し実行する。Ｓ８の判断がＹＥＳになった場合にはＳ９に進む。Ｓ９では、Ｓ７で決定した低下温度だけ、目標温度を低下させる変更を行う。なお、目標温度を低下させたことによる具体的な空調制御状態の変更は、吹き出し空気の温度の低下、風量の増加、およびそれらの両方がある。これらのいずれを採用することもできる。
【００５４】
図８は、図６の処理を実行して目標温度を低下させた後に実行し、その目標温度を元に戻す時の処理を示している。Ｓ１１、Ｓ１２、Ｓ１３、Ｓ１４は、それぞれ、Ｓ１、Ｓ２、Ｓ３、Ｓ４の処理と同じである。Ｓ１１では脈波を取得し、Ｓ１２では脈拍数Ｒを算出し、Ｓ１３では拍数差ΔＲを算出し、Ｓ１４では規定時間分の拍数差積分値ΣΔＲを算出する。Ｓ１１、Ｓ１２は拍数取得部２１４が実行する処理であり、Ｓ１３は拍数差算出部２１５が実行する処理であり、Ｓ１４は積分部２１６が実行する処理である。
【００５５】
Ｓ１５〜Ｓ１７は空調制御部２１７が実行する。Ｓ１５では、Ｓ５とは反対に、規定時間分の拍数差積分値ΣΔＲが積分値閾値ＴＨＲよりも小さいか否かを判断する。この判断がＮＯであればＳ１１に戻る。よって、Ｓ１５の判断がＮＯである間はＳ１１〜Ｓ１５を繰り返す。Ｓ１１〜Ｓ１５を繰り返すことで、逐次、現時点における最新の過去規定時間分の拍数差積分値ΣΔＲが算出されて、その最新の拍数差積分値ΣΔＲが積分値閾値ＴＨＲと比較されることになる。
【００５６】
Ｓ１５の判断がＹＥＳになった場合はＳ１６に進む。Ｓ１６に進む場合、体温上昇を生じさせていた脈拍数Ｒの継続的な増加はなくなったことになる。したがって、近く体温の低下が予想される。
【００５７】
そこで、Ｓ１６において、Ｓ１５の判断がＹＥＳになってから戻し時待ち時間が経過したか否かを判断し、戻し時待ち時間が経過したと判断したらＳ１７に進んで、目標温度を、Ｓ９を実行する前の目標温度に戻す。
【００５８】
＜第１実施形態のまとめ＞
脈拍数Ｒが上昇したことにより、即座に目標温度を低下させてしまうと、まだ、体温上昇が開始する前に、目標温度が低下してしまうことになり、ユーザ５に違和感を与えてしまう。これに対して、本実施形態の空調システム１００では、血流が多い状態が継続していると判断するために、規定時間分の拍数差積分値ΣΔＲを積分値閾値ＴＨＲと比較する（Ｓ５）。規定時間分の拍数差積分値ΣΔＲが積分値閾値ＴＨＲを超えた場合（Ｓ５：ＹＥＳ）、血流が多い状態が継続していると判断でき、ユーザ５の体温が上昇するタイミング、あるいは、そのタイミングに近いと推定できる。そこで、低下時待ち時間が経過したときに（Ｓ８：ＹＥＳ）、目標温度を低下させる（Ｓ９）。これにより、ユーザ５の体温変化のタイミングに近いタイミングで目標温度を変更できるので、ユーザ５に違和感を与えてしまうことを抑制できる。
【００５９】
さらに、目標温度を低下させた後も、規定時間分の拍数差積分値ΣΔＲを積分値閾値ＴＨＲと逐次比較しており、拍数差積分値ΣΔＲが積分値閾値ＴＨＲよりも小さくなったと判断したら、戻し時待ち時間が経過した後に、目標温度を元に戻している（図８）。これにより、目標温度を元の値まで上昇させるときも、ユーザ５の体温低下のタイミングと目標温度を元の値にまで上昇させるタイミングとのずれを少なくできる。よって、目標温度を元の値にまで上昇させる際にも、ユーザ５に違和感を与えてしまうことを抑制できる。
【００６０】
また、拍数増加閾値を超えている時間が長いほど、目標温度を低下させる低下温度を大きな値にしている。これにより、体温がより大きく上昇することが推測される場合に、目標温度をより低い値に変更することができる。よって、より快適な空調空気をユーザ５に提供できる。
【００６１】
［第２実施形態］
次に、第２実施形態を説明する。この第２実施形態以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００６２】
第２実施形態では、シート空調装置２が備えるＥＣＵ２１の機能が第１実施形態と異なる。図９に、第２実施形態においてシート空調装置２が備えるＥＣＵ２１の構成を示す。第２実施形態では、ＥＣＵ２１は、閾値決定部２１８と待ち時間決定部２１９をさらに備える。
【００６３】
閾値決定部２１８は、筋肉量関係値に基づいて積分値閾値ＴＨＲを決定する。積分値閾値ＴＨＲを決定するタイミングは、たとえば、シート空調装置２の電源がオンになる毎である。筋肉量関係値とは、ユーザ５の筋肉量に関係する値である。筋肉量が多いほど代謝効率がよいことから、筋肉量が多いほど血流の増加による発熱が大きい。したがって、筋肉量が多いほど、同じ拍数差積分値ΣΔＲでも発熱量が多いと推定できる。換言すれば、筋肉量が多いほど、同じ発熱量を得るために必要な拍数差積分値ΣΔＲは小さいことになる。
【００６４】
そこで、閾値決定部２１８は、筋肉量関係値が、筋肉量が多いことを示す値であるほど、積分値閾値ＴＨＲを小さい値にする。筋肉量関係値は、筋肉量そのものとすることができる。筋肉量は、ウェアラブルデバイス３により測定することができるようになっている場合、ウェアラブルデバイス３から、無線通信により取得する。また、携帯端末４にユーザが入力するようになっていてもよい。
【００６５】
また、筋肉量関係値は、体型を表す値と性別の一方または両方とすることもできる。体型が太っている、痩せていることは、筋肉量の目安になるからである。また、一般的に男性の方が筋肉量は多いことから、性別も筋肉量に目安になる。
【００６６】
なお、体型および性別の少なくとも一方とともに、身長および体重の一方または両方も用いて積分値閾値ＴＨＲを決定してもよい。また、規定身長または規定体重当たりに換算した筋肉量を推定し、それを筋肉量関係値としてもよい。
【００６７】
体型を表す値は、体型が太っているから痩せているまでを複数のレベルにより表す値とすることができる。この値は、ユーザ入力により決定してもよいし、携帯端末４がカメラを備えている場合、そのカメラでユーザ５を撮像し、撮像した画像を解析して決定してもよい。性別は、ユーザ入力により決定する。
【００６８】
待ち時間決定部２１９は、筋肉量関係値に基づいて低下時待ち時間を決定する。すでに説明したように筋肉量が多いほど、同じ拍数差積分値ΣΔＲでも発熱量が多いと推定できる。つまり、同じ拍数差積分値ΣΔＲでも、筋肉量によって発熱量が変化する。この影響で、拍数差積分値ΣΔＲが積分値閾値ＴＨＲを超えてから体温が上昇し始めるまでの時間が、筋肉量により変動することになる。そこで、待ち時間決定部２１９は筋肉量関係値に基づいて低下時待ち時間を決定するのである。筋肉量関係値の具体例は、閾値決定部２１８で説明したものと同じである。
【００６９】
筋肉量関係値と低下時待ち時間との関係は、筋肉量関係値が筋肉量が多いことを示す値であるほど、低下時待ち時間が短くなる関係である。筋肉量が多いほど、発熱量が多いので早期に体温が上昇し始めると推定できるからである。ただし、積分値閾値ＴＨＲの値も低下時待ち時間に影響する。積分値閾値ＴＨＲを大きくすれば、積分値閾値ＴＨＲを超えてから体温上昇が開始するまでの時間を短くすることができるからである。したがって、低下時待ち時間は、積分値閾値ＴＨＲの大きさを考慮して決定する。
【００７０】
第２実施形態でも、ＥＣＵ２１は図６に示す処理を実行する。図６に示す処理において、Ｓ５では、閾値決定部２１８が決定した積分値閾値ＴＨＲを用い、Ｓ８では待ち時間決定部２１９が決定した低下時待ち時間を用いる。また、ＥＣＵ２１は図８に示す処理も実行する。図８に示す処理において、Ｓ１５でも、閾値決定部２１８が決定した積分値閾値ＴＨＲを用いる。
【００７１】
＜第２実施形態のまとめ＞
第２実施形態では、筋肉量関係値を用いて積分値閾値ＴＨＲおよび低下時待ち時間を決定する。これにより、積分値閾値ＴＨＲおよび低下時待ち時間を一定値とする場合よりも、ユーザ５の体温上昇タイミングと、目標温度を変更するタイミングとのずれを少なくできる。
【００７２】
以上、実施形態を説明したが、開示した技術は上述の実施形態に限定されるものではなく、次の変形例も開示した範囲に含まれ、さらに、下記以外にも要旨を逸脱しない範囲内で種々変更して実施できる。なお、以下の説明において、それまでに使用した符号と同一番号の符号を有する要素は、特に言及する場合を除き、それ以前の実施形態における同一符号の要素と同一である。また、構成の一部のみを説明している場合、構成の他の部分については先に説明した実施形態を適用できる。
【００７３】
［変形例１］
実施形態では、シート空調装置２がユーザ５から脈波を取得し、シート空調装置２が脈拍数Ｒを算出していた。しかし、ウェアラブルデバイス３あるいは携帯端末４で脈波から脈拍数Ｒを算出し、シート空調装置２は脈拍数Ｒを取得してもよい。また、シート空調装置２で行う機能の一部をさらに携帯端末４あるいはウェアラブルデバイス３に移し、拍数取得部２１４、拍数差算出部２１５、積分部２１６を、携帯端末４あるいはウェアラブルデバイス３が備えていてもよい。
【００７４】
［変形例２］
脈波に代えて心拍を検出し、脈拍数Ｒに代えて心拍数を用いてもよい。心拍数は、シート１を空調する装置であれば、シート１の生体皮膚に接触する箇所（たとえばアームレスト）に複数の電極を備え、心電を検出することで算出する。
【００７５】
［変形例３］
実施形態で説明した空調制御装置はシート空調装置２が備えるＥＣＵ２１であった。しかし、空調制御装置はシートの付近を空調する装置以外にも適用できる。空調制御装置は、部屋を空調する空調装置にも適用できる。部屋を空調する空調装置の場合、一つの部屋に心拍数または脈拍数を検出できるユーザ５が複数いる場合の処置が問題となる。ユーザ５を検出してユーザ５の付近を中心に空調する機能を備えていれば、ユーザ５ごとに空調制御を行う。この機能を備えていない場合には、複数のユーザ５から脈拍数あるいは心拍数が検出できる場合には、制御を中止する。
【００７６】
［変形例４］
携帯端末４の機能の一部または全部を、ウェアラブルデバイス３が備えてもよい。
【００７７】
［変形例５］
積分値閾値ＴＨＲ、低下時待ち時間、戻し時待ち時間のうちの１つまたは複数を、服装が厚着か薄着かにより補正してもよい。服装が厚着であるほど、体温が上昇しやすく低下しにくいからである。服装が厚着か薄着かは、ユーザ入力により決定してもよいし、カメラにより撮像した画像を解析して決定してもよい。
【００７８】
［変形例６］
実施形態では、目標温度を低下させる処理（図６）と、低下させた目標温度を元に戻す処理（図８）を行っていた。しかし、目標温度を低下させる処理のみを行い、低下させた目標温度をもとに戻すかどうかは、ユーザ５が判断するようにしてもよい。また、反対に、手動操作により目標温度が低下した後、低下した目標温度を元に戻すために図８の処理のみを実行するようにしてもよい。
【符号の説明】
【００７９】
１：シート      ２：シート空調装置      ３：ウェアラブルデバイス      ４：携帯端末      ５：ユーザ      ２１：ＥＣＵ      ２２：空調ユニット      ２３：シート側通信部      ４１：制御部      ４２：表示部      ４３：操作部      ４４：通信部      １００：空調システム      ２１１：ＣＰＵ      ２１２：ＲＡＭ      ２１３：フラッシュメモリ      ２１４：拍数取得部      ２１５：拍数差算出部      ２１６：積分部      ２１７：空調制御部      ２１８：閾値決定部      ２１９：時間決定部      ４１１：ＣＰＵ      ４１２：ＲＡＭ      ４１３：フラッシュメモリ      Ｒ：脈拍数      ＴＨＲ：積分値閾値      ΔＲ：拍数差      ΣΔＲ拍数差積分値
【図１】
2019196862.tif 000003
【図２】
2019196862.tif 000004
【図３】
2019196862.tif 000005
【図４】
2019196862.tif 000006
【図５】
2019196862.tif 000007
【図６】
2019196862.tif 000008
【図７】
2019196862.tif 000009
【図８】
2019196862.tif 000010
【図９】
2019196862.tif 000011